(57)【要約】【課題】設備機器全般にメンテナンスやトラブルの発生時に使用者が短時間で容易に解決策を把握することができることを目的とする。【解決手段】本体１に二次元バーコード２を設け、携帯端末４にて二次元バーコード２を読み込みむとアクセス先情報が表示され、前記アクセス先情報へアクセスすると知りたい情報が携帯端末４に表示させることにより、本体１の二次元バーコード２に携帯端末４をかざして二次元バーコード２を読み込ませて携帯端末４の画面にアクセス先情報を表示させ目的とするアクセス先情報を選択することによって知りたい情報を携帯端末の画面に表示させることとなり、設備機器全般にメンテナンスやトラブルの発生時に使用者が短時間で容易に解決策を把握することができる設備機器取扱情報システムおよびそれを用いたレンジフードを得られる。【選択図】図１
2017009180.tif 000002
【特許請求の範囲】
【請求項１】
本体に二次元バーコードを設け、携帯端末にて前記二次元バーコードを読み込みむとアクセス先情報が表示され、前記アクセス先情報へアクセスすると知りたい情報が前記携帯端末に表示させることを特徴とする設備機器取扱情報システム。
【請求項２】
本体を、調理器の上方にフード外枠とフード外枠内面に沿う形状の内フードと、ファンケーシング内にファンを有する送風機と、前記ファンケーシングに前記ファンを回転させるモーターとを設け、二次元バーコードを前記フード外枠の前面に設けることを特徴とする請求項１に記載の設備機器取扱情報システムを用いたレンジフード。
【請求項３】
フード外枠の前面にスイッチを設け、前記スイッチの近傍に二次元バーコードを設けることを特徴とする請求項２に記載の設備機器取扱情報システムを用いたレンジフード。
【請求項４】
フード外枠の前面の右側あるいは左側の近傍の一方に二次元バーコードを設けることを特徴とする請求項２に記載の設備機器取扱情報システムを用いたレンジフード。
【発明の詳細な説明】
【技術分野】
【０００１】
本発明は、設備機器分野における設備機器取り扱い情報に取り出しに関するものである。
【背景技術】
【０００２】
従来、この種の設備機器取扱情報システムは、２次元バーコードを読み取ってエラーコードを携帯端末等の表示部に表示されるものが知られている（例えば、特許文献１参照）。
【先行技術文献】
【特許文献】
【０００３】
【特許文献１】特開２００４−２６５３１７号公報
【発明の概要】
【発明が解決しようとする課題】
【０００４】
このような従来の設備機器取扱情報システムおよびそれを用いたレンジフードにおいては、設備機器が故障した場合設備機器に設けた２次元バーコードを使用者が携帯電話等で読み込むとエラーコードが表示されそのエラーコードをメーカへ電話等で知らせるが使用者はそのエラーコードですぐに解決策を把握することができない、という課題を有していた。
【０００５】
そこで本発明は、上記従来の課題を解決するものであり、設備機器全般にメンテナンスやトラブルの発生時に使用者が短時間で容易に解決策を把握することができる設備機器取扱情報システムおよびそれを用いたレンジフードを提供することを目的とする。
【課題を解決するための手段】
【０００６】
そして、この目的を達成するために、本発明は、本体に二次元バーコードを設け、携帯端末にて前記二次元バーコードを読み込みむとアクセス先情報が表示され、前記アクセス先情報へアクセスすると知りたい情報が前記携帯端末に表示させることとしたものであり、これにより所期の目的を達成するものである。
【発明の効果】
【０００７】
本発明によれば、本体に二次元バーコードを設け、携帯端末にて前記二次元バーコードを読み込みむとアクセス先情報が表示され、前記アクセス先情報へアクセスすると知りたい情報が前記携帯端末に表示させること、という構成にしたことにより、本体の二次元バーコードに携帯端末をかざして二次元バーコードを読み込ませて携帯端末の画面にアクセス先情報を表示させ目的とするアクセス先情報を選択することによって知りたい情報を携帯端末の画面に表示させることとなるので、設備機器全般にメンテナンスやトラブルの発生時に使用者が短時間で容易に解決策を把握することができる、という効果を得ることができる。
【図面の簡単な説明】
【０００８】
【図１】本発明の実施の形態１の設備機器取扱情報システムおよびそれを用いたレンジフードを示す斜視図
【図２】同設備機器取扱情報システムおよびそれを用いたレンジフードを示す操作部の拡大を示す図
【図３】同設備機器取扱情報システムおよびそれを用いたレンジフードのレンジフード単体の斜視図
【発明を実施するための形態】
【０００９】
本発明の請求項１記載の設備機器取扱情報システムおよびそれを用いたレンジフードは、本体に二次元バーコードを設け、携帯端末にて前記二次元バーコードを読み込みむとアクセス先情報が表示され、前記アクセス先情報へアクセスすると知りたい情報が前記携帯端末に表示させる、という構成を有する。これにより、本体の二次元バーコードに携帯端末をかざして二次元バーコードを読み込ませて携帯端末の画面にアクセス先情報を表示させ目的とするアクセス先情報を選択することによって知りたい情報を携帯端末の画面に表示させることとなるので、設備機器全般にメンテナンスやトラブルの発生時に使用者が短時間で容易に解決策を把握することができる、という効果を奏する。
【００１０】
また、本体を、調理器の上方にフード外枠とフード外枠内面に沿う形状の内フードと、
ファンケーシング内にファンを有する送風機と、前記ファンケーシングに前記ファンを回転させるモーターとを設け、二次元バーコードを前記フード外枠の前面に設ける、という構成にしてもよい。これにより、調理中に発生する油煙等は内フード内の送風機に吸い込まれ、また、無理のなく手をかざした位置に二次元バーコートがあることとなるので、レンジフード全般にメンテナンスやトラブルの発生時に短時間で容易に解決策を把握することができる、という効果を奏する。
【００１１】
また、フード外枠の前面にスイッチを設け、前記スイッチの近傍に二次元バーコードを設ける、という構成にしてもよい。これにより、スイッチを見たり操作したときに二次元バーコードを見つけ認識させることとなるので、レンジフード全般にメンテナンスやトラブルの発生時に更に短時間で容易に解決策を把握することができる、という効果を奏する。
【００１２】
また、フード外枠の前面の右側あるいは左側の近傍の一方に二次元バーコードを設ける、という構成にしてもよい。これにより、利き手で二次元バーコードを容易にかざすこととなるので、レンジフード全般にメンテナンスやトラブルの発生時に更に短時間で容易に解決策を把握することができる、という効果を奏する。
【００１３】
以下、本発明の実施の形態について図面を参照しながら説明する。
【００１４】
（実施の形態１）
図１、２に示すように、本体１に二次元バーコード２（ＱＲコード（登録商標））を設ける。
【００１５】
設ける方法としては、二次元バーコード２自体を本体１に貼る。
【００１６】
あるいは、二次元バーコード２を操作部３に印刷する。
【００１７】
そして、携帯端末４（携帯電話、スマートフォン、タブレット等）にて二次元バーコード２を携帯端末４に読み込みむとアクセス先のインターネットのアドレス情報すなわちアクセス先情報（図示せず）が表示される。
【００１８】
そして、アクセス先情報へアクセスすると例えば設備機器のお手入れとかトラブル時の対応等すぐに知りたい情報を即時に携帯端末４の表示部５に表示させる、という構成を有する。
【００１９】
これにより、本体１の二次元バーコード２に携帯端末４をかざして二次元バーコード２を読み込ませて携帯端末４の表示部５である画面にアクセス先情報を表示させ目的とするアクセス先情報を選択することによって知りたい情報を携帯端末４の表示部５である画面に表示させることとなる。
【００２０】
そうすることで、設備機器全般にメンテナンスやトラブルの発生時に使用者が短時間で容易に解決策を把握することができる、という効果を奏する。
【００２１】
また、本体１を、電気やガスの調理器６（ここではガスの場合）の上方にフード外枠７とフード外枠７内面に沿う形状の内フード８と、ファンケーシング９内に例えばシロッコファンであるファン１０を有する送風機１１と、ファンケーシング９にファン１０を回転させるモーター１２とを設け、二次元バーコード２をフード外枠７の前面１３に設ける。
【００２２】
これにより、調理中に発生する油煙１４等は内フード８内の送風機１１に吸い込まれ、また、無理のなく手をかざした位置に二次元バーコード２があるので、レンジフード全般にメンテナンスやトラブルの発生時に短時間で容易に解決策を把握することができる。
【００２３】
また、フード外枠７の前面１３にスイッチ１５を設け、スイッチ１５の近傍に二次元バーコード２を設ける。
【００２４】
これにより、スイッチ１５を見たり操作したときに二次元バーコード２を見つけ認識させることとなるので、レンジフード全般にメンテナンスやトラブルの発生時に更に短時間で容易に解決策を把握することができる。
【００２５】
また、フード外枠７の前面１３の右側１６あるいは左側（図示せず）の近傍の一方に二次元バーコード２を設ける。
【００２６】
これにより、利き手１７で二次元バーコード２を容易にかざすこととなり、レンジフード全般にメンテナンスやトラブルの発生時に更に短時間で容易に解決策を把握することができる。
【００２７】
なお、スイッチ１５にメンブレン１８を用いている場合は、二次元バーコード２をメンブレン１８に印刷することで、スイッチ１５の近傍に二次元バーコード２を設けることになるので、使用者は容易に認識することができる。また、製造コスト（部品単価と工数）を削減することもできる。また、耐久性も向上することができる。
【産業上の利用可能性】
【００２８】
本発明にかかる設備機器取扱情報システムおよびそれを用いたレンジフードは、設備機器全般にメンテナンスやトラブルの発生時に使用者が短時間で容易に解決策を把握することができることを可能とするものであるので、レンジフード等の換気設備として有用である。
【符号の説明】
【００２９】
１  本体
２  二次元バーコード
３  操作部
４  携帯端末
５  表示部
６  調理器
７  フード外枠
８  内フード
９  ファンケーシング
１０  ファン
１１  送風機
１２  モーター
１３  前面
１４  油煙
１５  スイッチ
１６  右側
１７  利き手
１８  メンブレン
【図１】
2017009180.tif 000003
【図２】
2017009180.tif 000004
【図３】
2017009180.tif 000005
【手続補正書】
【提出日】平成28年8月23日(2016.8.23)
【手続補正１】
【補正対象書類名】特許請求の範囲
【補正対象項目名】全文
【補正方法】変更
【補正の内容】
【特許請求の範囲】
【請求項１】
レンジフードの本体に、フード外枠と、ファンケーシング内にファンを有する送風機と、前記ファンを回転させるモーターと、二次元バーコードとを設け、携帯端末にて前記二次元バーコードを読み込むとアクセス先情報が表示され、前記アクセス先情報へアクセスすると、知りたい情報を前記携帯端末に表示させる設備機器取扱情報システムを用いたレンジフード。
【請求項２】
前記二次元バーコードを前記フード外枠の前面に設けることを特徴とする請求項１に記載のレンジフード。
【請求項３】
前記フード外枠の前面にメンブレンを用いたスイッチを設け、前記メンブレンに前記二次元バーコードを印刷することを特徴とする請求項１に記載のレンジフード。
【請求項４】
前記知りたい情報は設備機器のお手入れまたはトラブル時の対応であることを特徴とする請求項１に記載のレンジフード。
【手続補正３】
【補正対象書類名】明細書
【補正対象項目名】０００９
【補正方法】変更
【補正の内容】
【０００９】
本発明の請求項１記載のレンジフードは、レンジフードの本体に、フード外枠と、ファンケーシング内にファンを有する送風機と、前記ファンを回転させるモーターと、二次元バーコードとを設け、携帯端末にて前記二次元バーコードを読み込むとアクセス先情報が表示され、前記アクセス先情報へアクセスすると、知りたい情報を前記携帯端末に表示させる設備機器取扱情報システムを用いた構成である。これにより、本体の二次元バーコードに携帯端末をかざして二次元バーコードを読み込ませ、携帯端末の画面にアクセス先情報を表示させて、目的とするアクセス先情報を選択することによって、知りたい情報を携帯端末の画面に表示させることとなるので、メンテナンスやトラブルの発生時に使用者が短時間で容易に解決策を把握することができる、という効果を奏する。